(57)【特許請求の範囲】
【請求項１】
基礎床面に固定される接地板からネジ支柱を起立させ、ネジ支柱に受け盤を雌ネジ部で所定高さまでねじ込むとともに、受け盤に床パネルを載せ、パネル押えを床パネルに形成した挿入孔から挿入してネジ支柱にねじ込んで床パネルを高さ調整可能に支持するとともに、受け盤に押圧固定する床パネルの支持構造において、
パネル押えを挿通する挿通孔を備え、床パネルを載せる載せ盤を受け盤の上面に装着し、受け盤の雌ネジ部の上部にネジ支柱と隙間を有する隙間部を形成するとともに、隙間部の上方、ネジ支柱の外周に載せ盤の一部を形成するリング状をした回り止め部材を連結部を介して存在させ、パネル押えのネジ支柱へのねじ込みによって連結部を分離させて回り止め部材を押して隙間部に圧入させることを特徴とする床パネルの支持構造。
【請求項２】
連結部は幅狭、かつ薄肉をしており、回り止め部材の周縁に複数設けられる請求項１の床パネルの支持構造。
【請求項３】
回り止め部材は分断部を有しており、圧入時に回り止め部材の径を狭めて確実に隙間部に入ってゆくのを補助する請求項１又は２の床パネルの支持構造。
【発明の詳細な説明】
【技術分野】
【０００１】
本発明は、基礎床面上に支持脚を介して床パネルを一定高さ浮かせて敷くフリーアクセス用の床パネルの支持構造に関するものである。
【背景技術】
【０００２】
従来の床パネルの支持構造としては、下記特許文献１に見られるように、基礎床面上に固定した接地板から起立させたネジ支柱に床パネルを支持する受け盤に形成したナット部（雌ネジ部）を螺合させ、受け盤を回転させることでその高さを所定に設定した後、受け盤に床パネルを載置して床パネルのコーナー先端に形成された挿入孔からパネル押えを差し込んでねじ支柱にねじ込むことで受け盤とネジ支柱との間に生ずるガタの発生を抑え高さが狂わないようにしている。
【０００３】
しかし、床下配線をメンテナンスする際等、パネル押え及び床パネルを取り外した状態で作業者が不用意に受け盤に触れることがある。このようなときには受け盤の高さが狂うことから、再調整が必要になっていた。
【０００４】
こうしたことから、実際の施工では、パネル押えをねじ込む前にネジ支柱と受け盤のナット部との間に接着剤を垂らしてナット部をネジ支柱に固定している。しかし、このような接着作業をすべての支持脚に行うのは大変であるし、作業が確実に遂行されたかを確認するのも難しい。また、接着剤の使用によって作業環境を悪化させるおそれもある。加えて、床パネルの敷設工事後に支持脚の高さを再調整したり、変更したりする場合は、工具を使用して接着剤を破壊して受け盤を強制的に回転させなければならず、面倒な作業を強いられていた。
【０００５】
一方、下記特許文献２には、床パネルを支持する受板から下延させた支持筒と接地板から起立させた支持柱に相互に雄雌のネジ部を形成して螺合することで高さ調整をするとともに、この螺合部に押し潰されてネジ部を締め付ける回り止め部材を設けたものが提案されている。しかし、この先行例のものは、回り止め部材を押し潰すのにネジ部に螺合する円筒形の締付体を用いており、この締付体は受板の下方にあることから、操作がし難い上に締付体を余分に必要とする。
【特許文献１】特開２００１−０４９８５６号公報
【特許文献２】特開平０５−１５６７９０号公報
【発明の開示】
【発明が解決しようとする課題】
【０００６】
本発明は、以上の課題を解決するものであり、回り止め部材を使用してパネル押え及び床パネルを取り外したときの受け盤の回転を規制して高さが狂わないようにし、この回り止め部材のネジ部への押付けを、床パネルを受け盤に固定するパネル押えで代用させて操作の容易さと確実さを確保したものである。
【課題を解決するための手段】
【０００７】
以上の課題の下、本発明は請求項１に記載した、基礎床面に固定される接地板からネジ支柱を起立させ、ネジ支柱に受け盤を雌ネジ部で所定高さまでねじ込むとともに、受け盤に床パネルを載せ、パネル押えを床パネルに形成した挿入孔から挿入してネジ支柱にねじ込んで床パネルを高さ調整可能に支持するとともに、受け盤に押圧固定する床パネルの支持構造において、
パネル押えを挿通する挿通孔を備え、床パネルを載せる載せ盤を受け盤の上面に装着し、受け盤の雌ネジ部の上部にネジ支柱と隙間を有する隙間部を形成するとともに、隙間部の上方、ネジ支柱の外周に載せ盤の一部を形成するリング状をした回り止め部材を連結部を介して存在させ、パネル押えのネジ支柱へのねじ込みによって連結部を分離させて回り止め部材を押して隙間部に圧入させることを特徴とする床パネルの支持構造を提供したものである。
【０００８】
また、本発明は以上の支持構造において、請求項２に記載した、連結部は幅狭、かつ薄肉をしており、回り止め部材の周縁に複数設けられる手段、請求項３に記載した、回り止め部材は分断部を有しており、圧入時に回り止め部材の径を狭めて確実に隙間部に入ってゆくのを補助する手段を提供する。
【発明の効果】
【０００９】
請求項１の手段によると、ネジ支柱の外周に載せ盤の一部を形成するリング状をした回り止め部材を連結部を介して存在させ、パネル押えのネジ支柱へのねじ込みによって連結部を分離させて回り止め部材を押して隙間部に圧入させるものであるから、パネル押えのネジ支柱へのねじ込みによって床パネルの固定と同時に回り止め部材の隙間部への圧入、すなわち受け盤の固定が図られる。したがって、締付体のようなものの締付け操作は必要ないし、接着剤も不要になって作業環境を悪化させない。同時にパネル押えはネジ支柱にねじ込まれるものであるから、回り止め部材の隙間部への圧入にはそれほど大きな力は必要としない。
【００１０】
請求項２の手段によると、パネル押えのねじ込みによる回り止め部材の分離が容易であり、かつ確実に隙間部に圧入される。請求項３の手段によると、回り止め部材は分断部によって縮径できるから、隙間部へ圧入され易く、かつその状態を保持できる。
【発明を実施するための最良の形態】
【００１１】
以下、本発明の実施の形態を図面を参照して説明する。まず、図面を説明しておくと、図１は本発明の床パネルの支持構造の分解斜視図、図２は同じく支持構造の上面図、図３は図２のＡーＡ断面図、図４は載せ盤の上面図、図５は載せ盤の底面図、図６は図４のＢーＢ断面図、図７は載せ盤を取り外した状態の上面図、図８は回り止め部材のパネル押えによる下行前の状態を示す図２のＡーＡ相当断面図、図９は下行状態を示す図２のＡーＡ相当断面図、図１０は回り止め部材の圧入開始前の状態を示す図２のＡーＡ相当断面図、図１１はパネル押え及び床パネルを取り外した状態を示す図２のＡーＡ相当断面図、図１２は他の支持脚で載せ盤を外した状態の上面図、図１３（ア）は他の回り止め部材とパネル押えとの関係を示す斜視図、（イ）はパネル押えに対する回り止め部材の仮装着状態を示す斜視図である。
【００１２】
図１に示すように、支持脚１は、基礎床２に接地する接地板１１に立設したネジ支柱１２に、４枚の床パネル４の集合するコーナー部をまとめて支持する受け盤１３の雌ネジ部１４を螺合させた構造である。受け盤１３の高さ調整は、ネジ支柱１２に対して受け盤１３を回転させて行う。雌ネジ部１４の形成は、受け盤１３中央の窪み部に設けたカシメ孔を用いてカシメナットをカシメ固定することによる。
【００１３】
カシメ固定の方法は、図８に示すように、雌ネジ部１４の上面に円筒形状のカシメ部１５を突出させておき、これをカシメ孔に下方から挿入した状態で上面側へ突出した部分をプレスで外方へ折り曲げ、カシメナット上面とでカシメ孔周縁を挟持させるようにする。カシメ固定後のカシメ部１５の内周面を雌ネジ部１４のネジ径よりも大きく設定することにより、平面視円状をした段差部が形成され、この段差部はネジ支柱１２に対して隙間を確保する隙間部１６に形成される。なお、受け盤１３をアルミダイカスト製にすれば、雌ネジ部１４は受け盤１３と一体成形することも可能である。
【００１４】
受け盤１３の上面には載せ盤３が装着される。載せ盤３は、受け盤１３に被せて装着する樹脂成形品であり、中央部分に床パネル４の位置決め部３１が略十文字状に上方に向けて突設され、その間は床パネル４の載置部３２としてフラットな低面となっている。図２に示すように、床パネル４は載置部３２上にコーナー部の低面が載置され、隣接する床パネル４の側面間に位置決め部３１が入り込んで位置ズレを防止する。中心部には、パネル押え５を挿入するための挿通孔３３が鉛直方向に貫通形成されている。載せ盤３の受け盤１３への装着は、外周縁から垂下させたフランジ部内周の２箇所（１８０°間隔）に下方に向けて突設した係止爪３４を受け盤１３の外周下面へ係止させて行う。載せ盤３は、ポリプロピレンやポリエチレン等の合成樹脂製であり、共に鋼板製である床パネル４と受け盤１３とのメタルタッチを防止する。
【００１５】
説明例の場合、載せ盤３の挿通孔３３の下端には、連結部３５を介してリング状の回り止め部材３６が一体形成されている。この回り止め部材３６は、パネル押え５に押されて隙間部１６に入り込み、受け盤１３がネジ支柱１２に対して不意に回動するのを規制するものである。これにおいて、回り止め部材３６はパネル押え５による押圧面が挿通孔３３の内側に確保される形状に設定するが、本例では、挿通孔３３の径よりも小径とし、また、完全に連続したリング状ではなくて分断部３７により周方向に一部途切れた形状としている。これにより、回り止め部材３６は、自身の弾性により分断部３７の範囲を限度に端面同士が当接するまで外形を縮小させることが可能となる。
【００１６】
本例の場合、回り止め部材３６の外径を１７ｍｍ、分断部３７の周長を約２ｍｍに設定してあり、約１６．５ｍｍの外径に縮小させた状態で載せ盤３の隙間部１６に圧入する。隙間部１６の外径は、縮小させた回り止め部材３６の外径よりも更に小さい約１６ｍｍとし、強力に圧入させる。このように、回り止め部材３６に分断部３７を設けることで、その内径をネジ支柱１２の外周に擦れない程度に大きくできるから、載せ盤３の受け盤１３への装着が容易になる。
【００１７】
連結部３５は、回り止め部材３６を載せ盤３に一体化するための繋ぎの部分であり、パネル押え５のねじ込みに伴う押圧力によって回り止め部材３６が分離される強さに設定する。連結部３５は、挿通孔３３の下端内周面から内方へ向けて水平に延ばして回り止め部材３６の上面と連結しているが、本例では、回り止め部材３６側の幅が挿通孔３３側の幅よりも小さくなる平面視台形状で厚みが１．５ｍｍ程度の連結部３５とし、図４に示すように、分断部３７を基準に両側４５°の部位の２箇所と分断部３７の反対側の１箇所との計３箇所に設け、切り離し性と取扱い時における強度性能をバランスさせている。
【００１８】
回り止め部材３６を設ける上下位置は、図８に示すように、載せ盤３を受け盤１３に装着した初期状態において、受け盤１３の雌ネジ部１４から上方へ覗いたネジ支柱１２に外挿されて隙間部１６の直上に位置させるのが好ましい。こうすれば、連結部３５を切断するにあたり、パネル押え５のネジ支柱１２への強いねじ込み力が利用でき、回り止め部材３６の一体性を比較的強固に保持できる連結部３５であっても切断が容易になるし、パネル押え５は真っ直ぐに安定した状態で降下させられるから、回り止め部材３６が均一に押圧され、複数設けた連結部３５の切断がほぼ同時に確実に行える。
【００１９】
さらに、連結部３５の切断により落下する回り止め部材３６は確実にネジ支柱１２で案内されることになり、圧入する隙間部１６から大きく位置ズレを起こす心配がなくなる。したがって、回り止め部材３６を設ける位置は、本例よりも更に下方位置となるように、挿通孔３３の内周面よりも外部に突出させて設けることも可能であるが、内周面に設けることにより、載せ盤３の取り扱い時における衝撃等により誤って連結部３５が切断されて回り止め部材３６を紛失させる他、載せ盤３を受け盤１３に装着した際、回り止め部材３６が正規の位置からずれるといった不具合を防止することができる。
【００２０】
床パネル４は、表面板と裏面板との間にパーティクルボード等の芯材を挟み込んで接着固定すると共に、表面板と裏面板とを上面の外周部分で重合させ一体化している。床パネル４のコーナー部先端には、上面部から１段下がった４分円状の低段部４１を設け、更にその先端は４分円状に切り欠いている。床パネル４は、４枚の床パネル４のコーナー部を突き合わせた状態で支持脚１上に載置すると、低段部４１も合わさって円形となり、中央には円形孔の挿入孔４２が現れる。この挿入孔４２からパネル押え５を差し込んでネジ支柱１２に螺合させる。
【００２１】
パネル押え５は、上端の円盤状の鍔部５１と、その下方の円柱状の胴部５２から構成される。胴部５２は、前記した低段部４１の中央に現れる挿入孔４２から差し込まれ、中心にネジ支柱１２に螺合させるための雌ネジ部５４が下面側に開口して形成されている。鍔部５１は胴部５２よりも大径であり、挿入孔４２周縁の低段部４１内に落とし込まれる。これにより、パネル押え５は低段部４１を下方へ押圧してネジ支柱１２とで挟圧し、床パネル５の浮き上がりを防止する。
【００２２】
以下、図面に基づいて回り止め部材３６の圧入方法について説明する。まず、所定の高さに設定した受け盤１３に載せ盤３を装着し、載せ盤３上に床パネル４を載せ、パネル押え５を床パネル４の挿入孔４２から載せ盤３の挿通孔３３に通して挿入する（図８）。続いて、パネル押え５をネジ支柱１２にねじ込んでいくと、下端面が回り止め部材３６の上面に当接した後、下方へ押圧し始める（図９）。更にねじ込んで行くと、連結部３５は回り止め部材３６側の幅を載せ盤３側の幅よりも小さく設定しているため、回り止め部材３６側の接続部分で連結部３５が切断されて回り止め部材３６が落下し、カシメ部１５及び隙間部１６の上面にセットされる（図１０）。
【００２３】
このとき、回り止め部材３６の外径は隙間部１６の外径よりも大きく設定されているものの、回り止め部材３６の下面をアール形状にするとともに、隙間部１６の上面角部もカシメによってアール形状となっていることから、隙間部１６に入りかかった状態になっている。そこで、パネル押え５をねじ込んで行くと、回り止め部材３６はパネル押え５に押されて隙間部１６に圧入されて行く。この圧入時、分断部３７の作用により回り止め部材３６は径を縮小され、ネジ支柱１２を強く締め付けるとともに、隙間部１６の外周を強く張って受け盤３の回転を規制するものになる。最後に、パネル押え５を完全に締め込めば、隙間部１６への圧入が完了する（図３）。
【００２４】
このように、一旦回り止め部材３６を圧入させると、パネル押え５及び床パネル４を取り外した場合であっても回り止め部材３６は圧入状態が維持されるものであるから、誤って受け盤１３の高さを狂わせることはない（図１１）。さらに、高さの再調整が必要な場合は、工具を使用しなくても強い力で強制的に受け盤１３を回転させることは可能であるから、利便性を損なうこともない。なお、回り止め部材３６は何らかの理由により一旦隙間部１６から取り外される等して再圧入する場合を想定し、断面形状を上下対称としておくのが好ましい。
【００２５】
図１２は、隙間部１６の形状違いの実施例を示す図面であるが、本例の隙間部１６の形成にもカシメナットのカシメ部１５を利用するが、丸みを帯びた平面視略正方形にしている。ネジ支柱１２の外周面と隙間部１６の内周面との距離は、正方形の辺の部分では小さく、コーナーでは大きなものになるため、回り止め部材３６の外径に対し、コーナーではより大径の挿入案内部とすることができ、回り止め部材３６の圧入がより容易になる利点を有する。
【００２６】
図１３の例は、回り止め部材６を載せ盤３とは別体に形成し、パネル押え５の下面に仮装着した状態で隙間部１６内に圧入する構造である。回り止め部材６は、上記した例のように載せ盤３に一体成形する他、パネル押え５に対しても一体成形可能であるが、本例のように別体にすれば、載せ盤３やパネル押え５の材質に依存されないから、圧入や回り止めに適した材質（例えば合成樹脂）のものにできる。したがって、本例では、比較的柔らかい樹脂で回り止め部材６を別体に形成している。
【００２７】
さらに、回り止め部材６は、分断部６１の間隔を半分程度まで縮めるように径を縮小変形させた状態で、パネル押え５の下面外周から突設した４つの保持部５３間に挿入し、回り止め部材６の弾性復帰力により脱落が防止されるものとなっている。パネル押え５のねじ込みにより、保持部５３は先端内側のガイド面（面取り部）に案内されてカシメ部１５の上面に当接して外方へ折れ曲がり、回り止め部材６のみが隙間部１６に圧入される。このとき、保持部５３は、仮装着した回り止め部材６の弾性復帰力により先端がいくらか外方へ傾倒するよう設定する他、外面に形成したＶノッチ等により基端部分を薄肉部にしておき、外方への折れ曲がりを確実なものにしている。なお、載せ盤３の下面（例えば挿通孔３３の下面）に本例と同様の保持部５３を設けることも可能である。
【００２８】
以上は、回り止め部材６、３６をパネル押え５や載せ盤３に一体成形又は一体化したものであるが、これに限定されるものではない。回り止め部材６を単体のものにしておき、施工時にネジ支柱１２をガイドとして受け盤１３内に落とし込むものであってもよい。要は、パネル押え５をネジ支柱１２にねじ込むときに、回り止め部材６が隙間部１６の上方に存在しておればよい。この落とし込みについては、載せ盤３の装着前と後とがあるが、前者の場合は、ただ単に回り止め部材６をネジ支柱１２を芯にして落とし込めばよく、その内径がネジ支柱１２の外径よりもある程度大きければよい。一方、後者の場合は、載せ盤３の挿通孔３３からしか行えず、入れるのが難しく、非常に細かい作業になる。そこで挿通孔３３の径もある程度大きくしておくのが好ましい。
【図面の簡単な説明】
【００２９】
【図１】本発明の床パネルの支持構造の分解斜視図である。
【図２】本発明の床パネルの支持構造の上面図である。
【図３】図２のＡーＡ断面図である。
【図４】載せ盤の上面図である。
【図５】載せ盤の底面図である。
【図６】図４のＢーＢ断面図である。
【図７】載せ盤を取り外した状態の上面図である。
【図８】回り止め部材のパネル押えによる圧入前の図２のＡーＡ相当断面図である。
【図９】回り止め部材のパネル押えによる圧入の図２のＡーＡ相当断面図である。
【図１０】回り止め部材の圧入前の図２のＡーＡ相当断面図である。
【図１１】パネル押え及び床パネルを取り外した状態を示す図２のＡーＡ相当断面図である。
【図１２】他の支持脚で載せ盤を外した状態の上面図である。
【図１３】他の回り止め部材とパネル押えとの関係を示す斜視図である。
【符号の説明】
【００３０】
１    支持脚
１１  接地板
１２  ネジ支柱
１３  受け盤
１４  雌ネジ部
１５  カシメ部
１６  隙間部
２    基礎床
３    載せ盤
３１  位置決め部
３２  載置部
３３  挿通孔
３４  係止爪
３５  連結部
３６  回り止め部材
３７  分断部
４    床パネル
４１  低段部
４２  挿入孔
５    パネル押え
５１  鍔部
５２  胴部
５３  保持部
５４  雌ネジ部
６    回り止め部材
６１  分断部
【図１】
0005234908.tif 000002
【図２】
0005234908.tif 000003
【図３】
0005234908.tif 000004
【図４】
0005234908.tif 000005
【図５】
0005234908.tif 000006
【図６】
0005234908.tif 000007
【図７】
0005234908.tif 000008
【図８】
0005234908.tif 000009
【図９】
0005234908.tif 000010
【図１０】
0005234908.tif 000011
【図１１】
0005234908.tif 000012
【図１２】
0005234908.tif 000013
【図１３】
0005234908.tif 000014